(57)【要約】【課題】分割版胴の組み立てを容易化し、軸方向調整手段及び円周方向調整手段が分割版胴から軸方向に大きく突出するのを防止し、メンテナンスを容易化できる分割版胴の見当調整構造を提供すること。【解決手段】駆動側版胴１と操作側版胴２をそれぞれ軸方向に移動させて軸方向の見当調整を行うそれぞれの軸方向調整手段Ｃ，Ｄと、駆動側版胴１と操作側版胴２をそれぞれ円周方向に回転させて円周方向の見当調整を行うそれぞれの円周方向調整手段Ａ，Ｂとを備え、駆動側版胴１と操作側版胴２のそれぞれの軸方向調整手段Ｄ，Ｃを、それぞれ駆動側版胴１と操作側版胴２の軸１ｃ，２ｂに設け、駆動側版胴１と操作側版胴２のそれぞれの円周方向調整手段Ａ，Ｂのうち少なくとも一方を、ブランケット胴３の軸３ｂに設けた。【選択図】図１
2005178143.tif 000002
【特許請求の範囲】
【請求項１】
駆動側版胴と操作側版胴からなる分割版胴と、この分割版胴と接触するブランケット胴とを備え、駆動側版胴と操作側版胴が、個別に軸方向に移動可能、かつ円周方向に回転可能に設けられている輪転機の印刷部における分割版胴の見当調整構造であって、
駆動側版胴と操作側版胴をそれぞれ軸方向に移動させて軸方向の調整を行うそれぞれの軸方向調整手段と、駆動側版胴と操作側版胴をそれぞれ円周方向に回転させて円周方向の調整を行うそれぞれの円周方向調整手段とを備え、
駆動側版胴と操作側版胴のそれぞれの軸方向調整手段は、それぞれ駆動側版胴と操作側版胴の軸に設けられ、
駆動側版胴と操作側版胴のそれぞれの円周方向調整手段のうち少なくとも一方は、ブランケット胴の軸に設けられている分割版胴の見当調整構造。
【請求項２】
分割版胴は、駆動側版胴の芯部が操作側版胴の中空円筒部に嵌め合わされ、かつ駆動側版胴の操作側の軸が操作側版胴の操作側の軸内に挿通されて延出するように形成されており、
駆動側版胴の軸方向調整手段は駆動側版胴の操作側の軸に設けられ、操作側版胴の軸方向調整手段は操作側版胴の操作側の軸に設けられ、駆動側版胴の円周方向調整手段は駆動側版胴の駆動側の軸に設けられ、操作側版胴の円周方向調整手段はブランケット胴の操作側の軸に設けられている請求項１に記載の分割版胴の見当調整構造。
【請求項３】
分割版胴は、駆動側版胴の芯部が操作側版胴の中空円筒部に嵌め合わされて形成されており、
駆動側版胴の軸方向調整手段は駆動側版胴の駆動側の軸に設けられ、操作側版胴の軸方向調整手段は操作側版胴の操作側の軸に設けられ、駆動側版胴の円周方向調整手段は駆動側版胴の駆動側の軸に設けられ、操作側版胴の円周方向調整手段はブランケット胴の操作側の軸に設けられている請求項１に記載の分割版胴の見当調整構造。
【請求項４】
ブランケット胴の軸に設けられている円周方向調整手段の歯車は、その外周を平歯車とすると共に、内周をメス・ヘリカルギヤーとし、前記平歯車を駆動側版胴又は操作側版胴の軸に形成した平歯車に歯合させると共に、前記メス・ヘリカルギヤーをブランケット胴の軸に形成したオス・ヘリカルギヤーに歯合させている請求項１〜３の何れかに記載の分割版胴の見当調整構造。
【発明の詳細な説明】
【技術分野】
【０００１】
本発明は、駆動側版胴と操作側版胴からなる分割版胴を備えた輪転機の印刷部において、軸方向及び円周方向の調整を行うための分割版胴の見当調整構造に関する。
【背景技術】
【０００２】
従来、かかる分割版胴の見当調整構造として、特許文献１に記載の輪転印刷機における版胴装置が知られている。この版胴装置は、版胴本体とこれに嵌合されたシェルシリンダとからなる分割版胴において、版胴本体の駆動側のジャーナル（軸）に版胴本体の軸方向調整手段と円周方向調整手段を設ける一方、版胴本体の操作側のジャーナル（軸）にシェルシリンダの軸方向調整手段と円周方向調整手段を設けたものである。
【０００３】
この装置は、上述のように分割版胴の駆動側と操作側にそれぞれ軸方向調整手段と円周方向調整手段を設けていることから、分割版胴の両側が複雑になり組み立てが煩雑であった。また、それぞれの調整手段が分割版胴を支持するフレームの外側に大きく突出することから、設置スペースが狭い場合には設置が困難であるという問題やメンテナンスを行いにくいという問題があった。
【特許文献１】特開平１０−２０２８２６号公報
【発明の開示】
【発明が解決しようとする課題】
【０００４】
本発明が解決しようとする課題は、分割版胴の組み立てを容易化し、軸方向調整手段及び円周方向調整手段が分割版胴から軸方向に大きく突出するのを防止し、メンテナンスを容易化できる分割版胴の見当調整構造を提供することにある。
【課題を解決するための手段】
【０００５】
本発明は、駆動側版胴と操作側版胴からなる分割版胴と、この分割版胴と接触するブランケット胴とを備え、駆動側版胴と操作側版胴が、個別に軸方向に移動可能、かつ円周方向に回転可能に設けられている輪転機の印刷部における分割版胴の見当調整構造であって、駆動側版胴と操作側版胴をそれぞれ軸方向に移動させて軸方向の調整を行うそれぞれの軸方向調整手段と、駆動側版胴と操作側版胴をそれぞれ円周方向に回転させて円周方向の調整を行うそれぞれの円周方向調整手段とを備え、駆動側版胴と操作側版胴のそれぞれの軸方向調整手段は、それぞれ駆動側版胴と操作側版胴の軸に設けられ、駆動側版胴と操作側版胴のそれぞれの円周方向調整手段のうち少なくとも一方は、ブランケット胴の軸に設けられていることを特徴とする。
【０００６】
具体例としては、分割版胴を、駆動側版胴の芯部が操作側版胴の中空円筒部に嵌め合わされ、かつ駆動側版胴の操作側の軸が操作側版胴の操作側の軸内に挿通されて延出するように形成し、駆動側版胴の軸方向調整手段を駆動側版胴の操作側の軸に設け、操作側版胴の軸方向調整手段を操作側版胴の操作側の軸に設け、駆動側版胴の円周方向調整手段を駆動側版胴の駆動側の軸に設け、操作側版胴の円周方向調整手段をブランケット胴の操作側の軸に設ける。
【０００７】
駆動側版胴の操作側の軸が操作側版胴の操作側の軸から延出していない分割版胴の場合、駆動側版胴の軸方向調整手段は駆動側版胴の駆動側の軸に設けることができる。
【０００８】
また、ブランケット胴の軸に設けられている円周方向当調整手段の歯車は、その外周を平歯車とすると共に、内周をメス・ヘリカルギヤーとし、前記平歯車を駆動側版胴又は操作側版胴の軸に形成した平歯車に歯合させると共に、前記メス・ヘリカルギヤーをブランケット胴の軸に形成したオス・ヘリカルギヤーに歯合させたものとすることができる。
【発明の効果】
【０００９】
駆動側版胴と操作側版胴のそれぞれの円周方向調整手段のうち少なくとも一方の円周方向調整手段をブランケット胴の軸に形成したことから、従来、デッドスペースであったブランケット胴の軸の側方スペースが円周方向調整手段の設置スペースとして有効利用され、その分、分割版胴の軸方向における突出が小さくなり、無駄な設置スペースが必要なくなる。また、分割版胴の組み立て、メンテナンスも行いやすくなる。
【発明を実施するための最良の形態】
【００１０】
以下、図面に示す実施例に基づき、本発明の実施の形態を説明する。
【実施例１】
【００１１】
図１は、本発明の第１実施例に係る分割版胴の見当調整構造の基本構成を示す概念図である。同図に示すように、本発明における版胴は、駆動側版胴１と操作側版胴２とからなり、駆動側版胴１の芯部１ａが操作側版胴２の中空円筒２ａ内に嵌め合わされ、分割版胴として構成されている。ブランケット胴３は、駆動側版胴１と操作側版胴２の外周面にそれぞれ装着された刷版（図示せず）と接触するように配置されている。
【００１２】
駆動側版胴１と操作側版胴２は、駆動側フレーム４と操作側フレーム５に、円周方向に回転可能かつ軸方向に微移動可能に支承されている。ブランケット胴３も駆動側フレーム４と操作側フレーム５に支承されており、円周方向への回転は可能であるが、軸方向に移動不可となっている。
【００１３】
そして、駆動側版胴１を円周方向に回転させて円周方向の調整を行う駆動側円周方向調整手段Ａが、駆動側版胴１の駆動側の軸１ｂに設けられている。一方、操作側版胴２を円周方向に回転させて円周方向の調整を行う操作側円周方向調整手段Ｂは、従来のように操作側版胴２ではなく、ブランケット胴３の操作側の軸３ｂに設けられている。
【００１４】
また、操作側版胴２を軸方向に移動させて軸方向の調整を行う操作側軸方向調整手段Ｃが、操作側版胴２の操作側の中空状の軸２ｂに設けられ、駆動側版胴１を軸方向に移動させて軸方向の調整を行う駆動側軸方向調整手段Ｄが操作側版胴２の操作側の軸２ｂから延出させた駆動側版胴１の操作側の軸１ｃに設けられている。
【００１５】
以下、駆動側円周方向調整手段Ａ、操作側円周方向調整手段Ｂ、操作側軸方向調整手段Ｃ、及び駆動側軸方向調整手段Ｄのそれぞれの機構について説明する。
【００１６】
１．駆動側円周方向調整手段                                          
図２は、駆動側円周方向調整手段Ａの構成を示す縦断面図である。同図に示すように、駆動側フレーム４にねじ固定した複数の支柱１６−１、１６−２に組み付けられたベースプレート１７上に駆動側版胴１の円周方向調整用ギヤードモータ１８が設置されており、その駆動軸の一端に平歯車１９が固着されている。平歯車１９に噛み合う平歯車２０は、駆動側版胴１と同心線上にある移動軸２１に固着されている。この移動軸２１にはねじ部２２が形成され、そのねじ部２２と噛み合い、かつ移動軸２１を支承するブラケット２３がベースプレート１７に固着されている。また、移動軸２１の最端部を支承するブラケット２４はブラケット２３に固着されている。移動軸２１の他端にはスラストベアリング２５が設けられ、スラストベアリング２５の中央リングはギヤーボス２６とフランジ２７により支承されている。
【００１７】
ギヤーボス２６の外周にはヘリカルギヤー２８が組み付けられ、内周にはメス平歯車２９が加工されており、メス平歯車２９はオス平歯車３０と全周で噛み合っている。オス平歯車３０は駆動側版胴１の駆動側の軸１ｂに固着されている。また、ヘリカルギヤー２８はブランケット胴３に固着されているギヤーボス３１に組み付けられているヘリカルギヤー３２と噛み合っている。
【００１８】
なお、図２中、６はブランケット胴３の駆動側の軸３ａを支承する偏心スリーブ、８は偏心スリーブ６内に設けた円筒コロ軸受、１０は偏心スリーブ６内に設けたスラスト軸受であり、１２は駆動側版胴１の駆動側の軸１ｂを支承するスリーブ、１４はスリーブ１２内に設けた円筒コロ軸受である。
【００１９】
以上の構成において、印刷運転中、図示しない監視装置が駆動側版胴１に関しての紙の流れ方向、すなわち駆動側版胴１の円周方向のズレを検出すると、監視装置はそのズレ量を電気信号に変換し円周方向調整用ギヤードモータ１８に送る。その電気信号に応答して、円周方向調整用ギヤードモータ１８がズレ量に対応する分だけ回転し、その結果、平歯車１９、２０が回転し、移動軸２１がねじ部２２の働きで回転しながら軸方向に移動する。このとき、移動軸２１端部のスラストベアリング２５はギヤーボス２６とフランジ２７に軸方向の移動のみを伝える。ここで、ギヤーボス２６の内周にはメス平歯車２９があり、駆動側版胴１の軸１ｂに固着されているオス平歯車３０と噛み合っているので、ギヤーボス２６が軸方向に移動しても駆動側版胴１の軸１ｂとオス平歯車３０は軸方向に移動しない。そして、ギヤーボス２６の外周にはヘルカルギヤー２８が固着されており、このヘルカルギヤー２８がブランケット胴３側に固着されたヘリカルギヤー３２と噛み合っているので、ギヤーボス２６が軸方向に移動するとヘリカルギヤー２８のヘリカルアングルに応じて、ブランケット胴３に対し、ヘリカルギヤー２８、ギヤーボス２６、オス平歯車３０及び駆動側版胴１が一体となって円周方向に回転し、その結果、駆動側の円周方向のズレが修正される。
【００２０】
２．操作側円周方向調整手段
図３は、操作側円周方向調整手段Ｂの構成を示す縦断面図である。同図に示すように、ブランケット胴３の操作側の軸３ｂを支承する偏心スリーブ７にはサイドフランジ３３、３４が固着されており、サイドフランジ３４には複数の支柱３５がねじ固定されている。支柱３５には、ベースプレート３６が固着されており、このベースプレート３６上に操作側版胴２の円周方向調整用ギヤードモータ３７が設置され、その駆動軸の一端に平歯車３８が固着されている。平歯車３８に噛み合う平歯車３９は、ブランケット胴３と同心線上にある移動軸４０に固着されている。移動軸４０にはねじ部４１が形成され、そのねじ部４１と噛み合い、かつ移動軸４０を支承するブラケット４２がベースプレート３６に固着されている。また、移動軸４０の最端部を支承するブラケット４３はブラケット４２に固着されている。移動軸４０の他端にはスラストベアリング４４が設けられ、スラストベアリング４４の中央リングはギヤーボス４５とフランジ４６により支承されている。
【００２１】
ギヤーボス４５の外周には平歯車４７が組み付けられ、内周にはメス・ヘリカルギヤー４８が加工されており、オス・ヘリカルギヤー４９と全周で噛み合っている。オス・ヘリカルギヤー４９はブランケット胴３の操作側の軸３ｂに固着されている。また、平歯車４７は操作側版胴２の操作側の軸２ｂに固着されている平歯車５０と噛み合っている。
【００２２】
なお、図３中、９は偏心スリーブ７内に設けた円筒コロ軸受である。
【００２３】
以上の構成において、印刷運転中、図示しない監視装置が操作側版胴２に関しての紙の流れ方向、すなわち操作側版胴２の円周方向のズレを検出すると、監視装置はそのズレ量を電気信号に変換し円周方向調整用ギヤードモータ３７に送る。その電気信号に応答して、円周方向調整用ギヤードモータ３７がズレ量に対応する分だけ回転し、その結果、平歯車３８、３９が回転し、移動軸４０はねじ部４１の働きで回転しながら軸方向に移動する。このとき、移動軸４０端部のスラストベアリング４４はギヤーボス４５とフランジ４６に軸方向の移動のみを伝える。ここで、ギヤーボス４５の内周にはメス・ヘリカルギヤー４８があり、ブランケット胴３の軸３ｂに固着されているオス・ヘリカルギヤー４９と噛み合っているので、ギヤーボス４５が軸方向に移動すると、メス・ヘリカルギヤー４８とオス・ヘリカルギヤー４９のヘリカルアンクルに応じて、ブランケット胴３に対しギヤーボス４５と平歯車４７は円周方向に回転する。これに伴い、平歯車４７に噛み合っている操作側版胴２の軸２ｂに固着されている平歯車５０も同量回転し、その結果、操作側の円周方向のズレが修正される。
【００２４】
３．操作側軸方向調整手段
図４は、操作側軸方向調整手段Ｃと駆動側軸方向調整手段Ｄの構成を示す縦断面図である。
【００２５】
まず、操作側軸方向調整手段Ｃについて説明すると、図４に示すように、操作側フレーム５の所定の位置に組み付けられたモーター架台５１上に操作側版胴２の軸方向調整用ギヤードモータ５２が設置されており、その駆動軸上にチェーンスプロケット５３と平歯車５４が固着されている。平歯車５４は図示しないエンコーダーの軸に固着されている平歯車と噛み合っている。
【００２６】
チェーンスプロケット５３は駆動側版胴１及び操作側版胴２と同心線上にある中空移動軸５５に固着されているチェーンスプロケット５６とチェーン５７で繋がれている。中空移動軸５５の外周にはねじ部５８が形成されており、そのねじ部５８と噛み合い、かつ中空移動軸５５を支承するブラケット５９とフランジ６０が、操作側フレーム５にねじ固定した複数の支柱６１に組み付けられたベースプレート６２に固着されている。また、中空移動軸５５の他端にはスラストベアリング６３が設けられ、その中央リングは接続フランジ６４とフランジ６５に支承されている。フランジ６５は接続フランジ６４に固着されている。また、接続フランジ６４は操作側版胴２の操作側の軸２ｂの端面に固着されている。
【００２７】
なお、図４中、１１は駆動側版胴１の操作側の軸１ｃと操作側版胴２の中空の軸２ｂとの間に介装されたプレーンベアリング、１３は操作側版胴２の中空の軸２ｂを支承するスリーブ、１５はスリーブ１３内に設けた円筒コロ軸受である。
【００２８】
以上の構成において、印刷運転中、監視装置が操作側版胴２に関しての紙幅方向、すなわち操作側版胴２の軸方向のズレを検出すると、監視装置はそのズレ量を電気信号に変換し軸方向調整用ギヤードモータ５２に送る。その電気信号に応答して、軸方向調整用ギヤードモータ５２がズレ量に対応する分だけ回転し、その結果、チェーンスプロケット５３、５６が回転し、中空移動軸５５がねじ部５８の働きで回転しながら軸方向に移動する。このとき、中空移動軸５５端部のスラストベアリング６３は接続フランジ６４及びフランジ６５と一体化している操作側版胴２に軸方向の移動のみを伝える。ここで、操作側版胴２の操作側の軸２ｂに固着しているギヤーは平歯車５０であり、これと噛み合っているブランケット胴３側のギヤーも平歯車４７であるから、操作側版胴２が軸方向に移動してもブランケット胴３との円周方向位相には変化は生じない。したがって、操作側版胴２は軸方向にのみ移動し、その結果、操作側の軸方向のズレが修正される。
【００２９】
４．駆動側軸方向調整手段
操作側フレーム５の所定の位置には、図示していないが、モーター架台上に駆動側版胴１の軸方向調整用ギヤードモータが設置されており、その駆動軸軸上にチェーンスプロケットと平歯車が固着されたユニット一式がある。これは、操作側軸方向調整手段Ｃにおける５１〜５４までの部品とモーター架台の高さ寸法を除き全て同じである。
【００３０】
図示していない軸方向調整用ギヤードモータの駆動軸上のチェーンスプロケットは、駆動側版胴１及び操作側版胴２と同心線上にある移動軸６６に固着されているチェーンスプロケット６７とチェーン６８で繋がれている。移動軸６６にはねじ部６９が形成されており、そのねじ部６９と噛み合い、かつ移動軸６６を支承するブラケット７０とフランジ７１が、スリーブ７２を介して、ベースプレート６２にねじ固定した複数の支柱７３に組み付けられた外側ベースプレート７４に固着されている。また、移動軸６６の他端にはスラストベアリング７５が設けられており、その中央リングは接続フランジ７６とフランジ７７に支承されている。フランジ７７は接続フランジ７６に固着されている。また接続フランジ７６は駆動側版胴１の操作側の軸１ｃに固着されている接続長軸７８に固着されており、常に駆動側版胴１の操作側の軸１ｃと共に回転する。そのため、接続フランジ７６と外側ベースプレート７４に固定されているスリーブ７２との間にニードルベアリング７９を設け、接続フランジ７６を回転可能に保持すると共に、接続長軸７８及び駆動側版胴１と一体で軸方向に移動可能としている。
【００３１】
以上の構成において、印刷運転中、図示しない監視装置が駆動側版胴１に関しての紙幅方向、すなわち駆動側版胴１の軸方向のズレを検出すると、監視装置はそのズレ量を電気信号に変換し軸方向調整用ギヤードモータに送る。その電気信号に応答して、軸方向調整用ギヤードモータがズレ量に対応する分だけ回転し、その結果、チェーンスプロケット６７が回転し、移動軸６６がねじ部６９の働きで回転しながら軸方向に移動する。このとき、移動軸６６端部のスラストベアリング７５は接続フランジ７６及びフランジ７７と一体化している接続長軸７８を介して駆動側版胴１に軸方向の移動のみを伝える。これによって、駆動側版胴１は軸方向に移動するが、ギヤーボス２６及びヘリカルギヤー２８は、先に図２で説明したように駆動側の軸１ｂに固着しているオス平歯車３０にメス平歯車２９を噛み合わせていることから軸方向に動かない。よって、駆動側版胴１が軸方向に移動してもブランケット胴３との円周方向位相には変化は生じない。したがって、駆動側版胴１は軸方向にのみ移動し、その結果、駆動側の軸方向のズレが修正される。
【００３２】
以上のとおり、本発明では、駆動側円周方向調整手段Ａ、操作側円周方向調整手段Ｂ、操作側軸方向調整手段Ｃ、及び駆動側軸方向調整手段Ｄによって、駆動側及び操作側の軸方向と円周方向の調整が可能である。そして、本発明では、従来、デッドスペースとなっていたブランケット胴３の操作側の軸３ｂの側方スペースを利用して操作側円周方向調整手段Ｂを設けているので、分割版胴の軸方向における突出が少なくなり、省スペース化を図ることができる。また、分割版胴の軸方向における構成が簡略化されるので、分割版胴の組み立て、メンテナンスも行いやすくなる。
【実施例２】
【００３３】
図５は、本発明の第２実施例に係る分割版胴の見当調整構造の基本構成を示す概念図である。先の第１実施例では、駆動側版胴１の操作側の軸１ｃを操作側版胴２の操作側の軸２ｂから延出させて、その軸１ｃ側に駆動側軸方向調整手段Ｄを設けたが、本実施例では、軸１ｃを軸２ｂから延出させずに駆動側軸方向調整手段Ｄを駆動側版胴１の駆動側の軸１ｂ側に設けたものである。なお、駆動側円周方向調整手段Ａ、操作側円周方向調整手段Ｂ及び操作側軸方向調整手段Ｃの構成は、第１実施例と同一であるので、その説明を省略する。
【００３４】
図６は、本実施例の駆動側軸方向調整手段Ｄの構成を示す断面図である。同図に示すように、駆動側のベースプレート１７上に駆動側版胴１の軸方向調整用ギヤードモータ８０が設置されており、その駆動軸上に平歯車８１とチェーンスプロケット８２とが固着されている。平歯車８１は図示しないエンコーダーの軸に固定されている平歯車と噛み合っている。
【００３５】
チェーンスプロケット８２は、駆動側版胴１及び操作側版胴２と同心線上にある移動軸８３に固着されているチェーンスプロケット８４とチェーン８５で繋がれている。移動軸８３にはねじ部８６が形成されており、そのねじ部８６と噛み合い、かつ移動軸８３を支承するブラケット８７とフランジ８８が、スリーブ８９を介して、ベースプレート１７にねじ固定した外側ベースプレート９０に固着されている。また、移動軸８３の他端にはスラストベアリング９１が設けられており、その中央リングは接続フランジ９２とフランジ９３に支承されている。フランジ９３は接続フランジ９２に固着されている。また接続フランジ９２は駆動側版胴１の駆動側の軸１ｂに固着されている接続長軸９４に固着されており、常に駆動側版胴１の駆動側の軸１ｂと共に回転する。そのため、接続フランジ９２と外側ベースプレート９０に固定されているスリーブ８９との間にニードルベアリング９５を設け、接続フランジ９２を回転可能に保持すると共に、接続長軸９４及び駆動側版胴１と一体で軸方向に移動可能としている。
【００３６】
以上の構成において、印刷運転中、図示しない監視装置が駆動側版胴１に関しての紙幅方向、すなわち駆動側版胴１の軸方向のズレを検出すると、監視装置はそのズレ量を電気信号に変換し軸方向調整用ギヤードモータ８０に送る。その電気信号に応答して、軸方向調整用ギヤードモータ８０がズレ量に対応する分だけ回転し、その結果、チェーンスプロケット８２、８４が回転し、移動軸８３がねじ部８６の働きで回転しながら軸方向に移動する。このとき、移動軸８３端部のスラストベアリング９１は接続フランジ９２及びフランジ９３と一体化している接続長軸９４を介して駆動側版胴１に軸方向の移動のみを伝える。これによって、駆動側版胴１は軸方向に移動するが、ギヤーボス２６及びヘリカルギヤー２８は、先に図２で説明したように駆動側の軸１ｂに固着しているオス平歯車３０にメス歯車２９を噛み合わせていることから軸方向に動かない。よって、駆動側版胴１が軸方向に移動してもブランケット胴３との円周方向位相には変化は生じない。したがって、駆動側版胴１は軸方向にのみ移動し、その結果、駆動側の軸方向のズレが修正される。
【００３７】
なお、駆動側版胴１の駆動側の軸１ｂ側には、駆動側円周方向調整手段Ａが設けられているが、その構成は上述のとおり第１実施例と同一であるので、その説明を省略する。
【産業上の利用可能性】
【００３８】
本発明は、駆動側版胴と操作側版胴からなる分割版胴を備えた輪転機の印刷部における調整装置に利用可能である。
【図面の簡単な説明】
【００３９】
【図１】本発明の第１実施例に係る分割版胴の見当調整構造の基本構成を示す概念図である。
【図２】第１実施例の駆動側円周方向調整手段の構成を示す縦断面図である。
【図３】第１実施例の操作側円周方向調整手段の構成を示す縦断面図である。
【図４】第１実施例の操作側軸方向調整手段と駆動側軸方向調整手段の構成を示す縦断面図である。
【図５】本発明の第２実施例に係る分割版胴の見当調整構造の基本構成を示す概念図である。
【図６】第２実施例の駆動側軸方向調整手段の構成を示す縦断面図である。
【符号の説明】
【００４０】
Ａ  駆動側円周方向調整手段
Ｂ  操作側円周方向調整手段
Ｃ  操作側軸方向調整手段
Ｄ  駆動側軸方向調整手段
１  駆動側版胴
１ａ  芯部
１ｂ  駆動側の軸
１ｃ  操作側の軸
２  操作側版胴
２ａ  中空円筒
２ｂ  操作側の軸
３  ブランケット胴
３ａ  駆動側の軸
３ｂ  操作側の軸
４  駆動側フレーム
５  操作側フレーム
４７  平歯車
４８  メス・ヘリカルギヤー
４９  オス・ヘリカルギヤー
５０  平歯車
【図１】
2005178143.tif 000003
【図２】
2005178143.tif 000004
【図３】
2005178143.tif 000005
【図４】
2005178143.tif 000006
【図５】
2005178143.tif 000007
【図６】
2005178143.tif 000008